(57)【要約】【課題】小さく纏めたセンサ用シールにおいて、外側部材に対する内側部材の径方向オフセットに適合可能なシール配置を提供する。【解決手段】小さく纏めたセンサ用シールは、センサ本体の外面に係合し、カバー部材のボアの周りの周囲面に浮動的に係合する停止面を備える第１のシール部分を備える。第１のシール部分はそこに設けられる補強挿入部を備える。第２のシール部分は、第１のシール部分から軸方向に離間しており、可撓性膜部分が第１と第２のシール部分の間で軸方向に延在する。第２のシール部分はカバー部材のボアの内径に係合し、補強挿入部を内部に備える。このセンサ用シールは小さい径方向空間を占めるが、カバー部材のボアに対するセンサ本体の径方向オフセットを可能にする。【選択図】図２
2008232435.tif 000002
【特許請求の範囲】
【請求項１】
部材の外面を密封して係合するように作られ、補強挿入部を内部に備える第１のシール部分と、
前記第１のシール部分から軸方向に離間し、ボアの内面を密封して係合するように作られ、補強挿入部を内部に備える第２のシール部分と、
前記第１のシール部分と前記第２のシール部分との間で軸方向に延在する可撓性膜部分と、
を備える弾性シール本体を含んでなることを特徴とする、部材の外面とボアとの間を密封するためのシール。
【請求項２】
前記第１のシール部分が、径方向外側に向かって延在し、前記第２のシール部分に向って軸方向に面する停止面を備えることを特徴とする、請求項１に記載のシール。
【請求項３】
前記径方向外側に向かって延在する停止面がそこから延在するダストリップを備えることを特徴とする、請求項２に記載のシール。
【請求項４】
前記径方向外側に向かって延在する停止面が、ボアの周りの周囲軸方向面に係合するように作られていることを特徴とする、請求項２に記載のシール。
【請求項５】
外面を有する第１の部材と、
ボアを画定する第２の部材と、
前記第１の部材の前記外面を密封するよう係合され、第１の補強挿入部を内部に備える、第１のシール部分、
前記第１のシール部分から軸方向に離間し、上記ボアの内面を密封して係合するように作られ、第２の補強挿入部を内部に備える、第２のシール部分、および
前記第１のシール部分と前記第２のシール部分との間で軸方向に延在する、可撓性膜部分、
を備える、弾性シール本体と、
を含んでなることを特徴する、シール配置。
【請求項６】
前記第１のシール部分が、径方向外側に向かって延在し、前記第２のシール部分に向って軸方向に面する停止面を備えることを特徴とする、請求項５に記載のシール配置。
【請求項７】
前記径方向外側に向かって延在する停止面がそこから延在するダストリップを備えることを特徴とする、請求項６に記載のシール配置。
【請求項８】
前記径方向外側に向かって延在する停止面が、前記第２の部材の前記ボアの周りの周囲軸方向面に係合するように作られていることを特徴とする、請求項６に記載のシール配置。
【請求項９】
前記ボアが、前記可撓性膜部分に隣接する第１の径部分と、前記第２のシール部分に隣接する第２の径部分とを備え、該第１の径部分は該第２の径部分よりも大きいことを特徴とする、請求項５に記載のシール配置。
【請求項１０】
前記第２のシール部分と前記可撓性膜部分のそれぞれが、同じ外径を有することを特徴とする、請求項９に記載のシール配置。
【請求項１１】
前記ボアが、前記第１の径部分と前記第２の径部分との間にテーパ面を備えることを特徴とする、請求項９に記載のシール配置。
【請求項１２】
前記可撓性膜部分と前記ボアとの間に空隙が設けられることを特徴とする、請求項５に記載のシール配置。
【請求項１３】
前記第１のシール部分が、前記第１の部材の前記ボアに対する横方向オフセットに適合するよう、前記ボアに対して横方向に移動可能であることを特徴とする、請求項５に記載のシール配置。
【請求項１４】
外面を有するセンサ本体と、
ボアを画定するカバー部材と、
前記センサ本体の前記外面を密封するよう係合される、第１のシール部分、
前記第１のシール部分から軸方向に離間し、前記ボアの内面を密封して係合するように作られている、第２のシール部分、および
前記第１のシール部分と前記第２のシール部分との間で軸方向に延在する、可撓性膜部分を備える、
弾性シール本体と、
を含んでなることを特徴とする、センサ用シール配置。
【請求項１５】
前記第１のシール部分が、径方向外側に向かって延在し、前記第２のシール部分に向って軸方向に面する停止面を備えることを特徴とする、請求項１４に記載のシール配置。
【請求項１６】
前記径方向外側に向かって延在する停止面がそこから延在するダストリップを備えることを特徴とする、請求項１５に記載のシール配置。
【請求項１７】
前記径方向外側に向かって延在する停止面が、前記ボアの周りの周囲軸方向面に係合するように作られていることを特徴とする、請求項１５に記載のシール配置。
【請求項１８】
前記ボアが、前記可撓性膜部分に隣接する第１の径部分と、前記第２のシール部分に隣接する第２の径部分とを備え、該第１の径部分は該第２の径部分よりも大きいことを特徴とする、請求項１４に記載のシール配置。
【請求項１９】
前記第２のシール部分と前記可撓性膜部分のそれぞれが、同じ外径を有することを特徴とする、請求項１８に記載のシール配置。
【請求項２０】
前記ボアが、前記第１の径部分と前記第２の径部分との間にテーパ面を備えることを特徴とする、請求項１８に記載のシール配置。
【請求項２１】
前記可撓性膜部分と前記ボアとの間に空隙が設けられることを特徴とする、請求項１４に記載のシール配置。
【請求項２２】
前記第１のシール部分が、前記第１の部材の前記ボアに対する横方向オフセットに適合するよう、前記ボアに対して横方向に移動可能であることを特徴とする、請求項１４に記載のシール配置。
【請求項２３】
前記第１のシール部分と前記第２のシール部分のそれぞれがそれら内部に金属製の補強挿入部を備えることを特徴とする、請求項１４に記載のシール配置。
【発明の詳細な説明】
【技術分野】
【０００１】
本発明はシールに関し、より詳しくは、小さく纏めたセンサ用シール（タイトパッケージセンサーシール）に関する。
【背景技術】
【０００２】
ここでは、単に本発明開示に関連する背景情報を提供するのみであり、従来技術を構成するものではない。
【０００３】
通常、シールは外側部材のボア内に受容される内側部材の外面の周囲に設けられる空隙を密封するのに用いられる。典型的には、該空隙は、内側部材の外面とボアの内面との間で、シール部材に径方向で完全に適合するような寸法を有する。空隙が非常に狭い場合、ボアに対する内側部材の適合オフセットの許容範囲は非常に小さい。したがって、当業界において、小さく纏めてあり、外側部材に対する内側部材の径方向オフセットに適合可能なシール配置を提供することが望ましい。
【発明の開示】
【発明が解決しようとする課題】
【０００４】
本発明は、小さく纏めたセンサ用シールにおいて、外側部材に対する内側部材の径方向オフセットに適合可能なシール配置を提供することを目的とする。
【課題を解決するための手段】
【０００５】
小さく纏めたセンサ用シールは、センサ本体の外面に係合し、かつ、カバー部材のボアの周りの周面に浮動的に係合する停止面を有する第１のシール部分を備える。第１のシール部分は、その中に配置される補強挿入部を備える。第２のシール部分は、第１のシール部分から軸方向で離間しており、可撓性膜部分が、第１と第２のシール部分の間で軸方向に延在してそれらを結合している。第２のシール部分は、カバー部材のボアの内径に係合し、内部に補強挿入部を備える。このセンサ用シールは、径方向において小さい空間を占めるが、センサ本体のカバー部材のボアに対する径方向オフセットを可能にする。
【０００６】
さらなる適用可能な領域は、本明細書の記述によって明らかになるであろう。本明細書の記述ならびに特定の実施例は、例示のみを目的とするものであって、本発明の開示範囲を限定するものではないことを理解すべきである。
【発明を実施するための最良の形態】
【０００７】
本明細書における図面は例示のみを目的とするものであって、いずれの場合も本発明開示の範囲を限定するものではない。以下の説明は本質的に単なる例示であるため、本発明の開示内容、用途あるいは使用方法を限定するものではない。図面全体において、対応する符号は、同様の、あるいは相当する部分および特徴を示すものであることを理解すべきである。
【０００８】
図１および図２を参照しながら、本発明による小さく纏めたシール１０を説明する。図１において、小さく纏めたシール１０は、センサ本体１４の外面１２と、カバー部材１８のボア１６との間を密封して係合する。シール１０を本明細書ではセンサ用シールとして特定の実施態様に関連して説明するが、小さく纏めたシール１０は、第１の部材の外面と第２の部材のボアとの間の限られた径方向の空間を密封するその他の用途においても使用可能であることを理解すべきである。
【０００９】
図２を参照すると、小さく纏めたシール１０は、センサ本体１４の外面１２に係合する第１のシール部分２０を有する、環状で弾性のあるシール本体を備える。第２のシール部分２２は、第１のシール部分２０から軸方向において離間しており、カバー部材１８のボア１６の内面に密封するよう係合する。可撓性膜部分２４は、第１のシール部分２０と第２のシール部分２２との間で概ね軸方向に延在する。
【００１０】
第１のシール部分２０は、径方向内側に向かって延在する隆起したビード部分３０を備えることができ、さらに弾性材料内に埋設された補強金属挿入部３２を備えることができる。第１のシール部分２０は、径方向外側に向かって延在し、第２のシール部分２２に向って軸方向に面する停止面３４を備える。停止面３４は、カバー部材１８の周囲軸方向面３６に係合する。停止面３４は、そこから延在し、カバー部材１８の面３６に軸方向で係合するダストリップ３８を備えることができる。第１のシール部分２０の弾性材料の厚さＴ１は、センサ本体１４の外面１２と堅く係合したり緩く係合し得るよう調節できる。
【００１１】
カバー部材１８のボア１６は、第１の径Ｄ１を有する外側寄りの第１の部分１６ａと、第１の径Ｄ１よりも小さい第２の径Ｄ２を内側寄りの有する第２の部分１６ｂとを備えることができる。第１の径Ｄ１は、可撓性膜部分２４とボア１６の第１の部分１６ａとの間に空隙Ｇを画定するよう、可撓性膜部分２４の外径よりも大きい。ボア１６の中間部分１６ｃは、第１の部分１６ａと第２の部分１６ｂとの間に延在するテーパ面を画定することができる。テーパ面は角度ａ１で設けることができる。角度ａ１は、可撓性膜部分２４の、ボア１６の第１の部分１６ａに対する横方向オフセットを可能にするよう選択することができる。角度ａ１は、１０度から３０度の間であることが好ましいが、その他の角度も使用可能である。
【００１２】
第２のシール部分２２は、第２の部分１６ｂとの間を密封して係合されるよう、ボア１６の第２の部分１６ｂの径Ｄ２よりも若干大きい外径を有する。第２のシール部分は、内部に補強金属挿入部４０を備えることができる。第２のシール部分２２の弾性材料の厚さＴ２は、ボア１６の内面１６ｂと堅く係合したり緩く係合できるよう調節が可能である。好ましくは、厚さＴ２は厚さＴ１よりも小さくして、センサ本体が挿入あるいは取り外される際に、シール１０がボア１６内で堅固に保持されるのを容易にする。
【００１３】
この小さく纏めたシール１０により、センサ本体１４とボア１６の密封された係合が軸方向にオフセットしていても、センサ本体１４とボア１６との間の密封された関係が提供される。シール１０はまた、センサ本体１４が、ボア１６に対して、少くとも可撓性膜部分２４とボア１６の第１の部分１６ａとの間の空隙Ｇの量だけ横方向にオフセットすることも可能にする。第１のシール部分２０の停止面３４とダストリップ３８とにより、センサ本体１４のボア１６に対する横方向のオフセットに適合するよう径方向での浮動が可能な二次的な密封係合が得られる。
【図面の簡単な説明】
【００１４】
【図１】図１は、カバー部材のボアに受容されるセンサに適用される、本発明開示の原理に基づく小さく纏めたシールを示す部分断面図である。
【図２】図２は、本発明開示の原理に基づく小さく纏めたシールの詳細な断面図である。
【符号の説明】
【００１５】
１０    小さく纏めたシール
１６    ボア
１６ａ    第１の部分
１６ｂ    第２の部分
１８    カバー部材
２０    第１のシール部分
２２    第２のシール部分
２４    可撓性膜部分
３４    停止面
３６    周囲軸方向面
３８    ダストリップ
【図１】
2008232435.tif 000003
【図２】
2008232435.tif 000004
【手続補正書】
【提出日】平成20年3月6日(2008.3.6)
【手続補正１】
【補正対象書類名】図面
【補正対象項目名】全図
【補正方法】変更
【補正の内容】
【図１】
2008232435.tif 000005
【図２】
2008232435.tif 000006